(57)【要約】      （修正有）【課題】洗濯物を型崩れしないで綺麗に洗える洗濯物保護装置を提供する。【解決手段】洗濯物を保護する為、多角形か球形状の網状ナイロン製で、本体ネット袋の中に入れた洗濯物の中心部に、多角形か球形状の接触ボールを配置する事で、本体ネット袋の中の接触ボールが、洗濯物の内側から、洗濯物に軽い衝撃を与え、洗濯物を内側、外側から手もみ洗い効果が出せ、又、接触ボールの程よい堅さが、洗濯物の型崩れを守り、洗濯物を綺麗に洗う事が出来る事を特徴とする。【選択図】図３
0003148221.tif 000002
【実用新案登録請求の範囲】
【請求項１】
洗濯物を保護する為、多角形、又は、球形状のアミ製袋ネット（プラスチック製ボール等）と、その中に入れた洗濯物の中心部に多角形、又は、球形状の接触ボールを配置する事で洗濯する時、洗濯物の内側、外側から洗う事が出来、洗濯物が型崩れしないで、且つ、手もみ洗い効果が出せ、汚れを綺麗に落とせる事を特徴とする洗濯物保護装置。
【考案の詳細な説明】
【技術分野】
【０００１】  本考案は、洗濯機等で洗濯する時に洗濯物の型崩れ防止、且つ、手もみ洗い効果を持つ、洗濯物保護装置に関するものである。
【背景技術】
【０００２】  従来、この類の洗濯物保護装置は、アミ製袋ネット、又は、プラスチック製ボール等で作成された保護装置で、アミ製袋ネット中で洗濯物が固まったり、洗濯機の水流だけで洗うだけでは汚れが落ちにくいものであった。
【考案の開示】
【考案が解決しようとする課題】
【０００３】  しかし、従来のこのような洗濯物保護装置は、アミ製袋ネット（プラスチック製ボール等含む）の場合は洗濯機ドラムの回転水流だけで洗う状態であり、又、アミ製袋ネットの中で洗濯物が団子状態で固まってしまうため、洗濯物の汚れは落ちにくいという前述の欠点を解決しようとするものである。
【問題を解決するための手段】
【０００４】  本考案は、洗濯物保護装置の多角形、及び、球状な物からなるアミ製袋ネット（プラスチック製ボール等含む）と突起物を設けた接触ボールを、セットして洗う事により、洗濯ドラムに洗濯物保護装置のアミ製袋ネット（プラスチック製ボール等含む）が接触したり水流回転時に接触ボールが洗濯物と程よい力で接触し、外側、内側から優しくもみ洗いしている、結果洗濯物の団子状態から解放された状況を作り出し汚れが綺麗に落ちる、従って汚れの落ちにくいという問題点を解決している。
【考案の効果】
【０００５】  上述の様に、本考案の洗濯物保護装置は、アミ製袋ネット（プラスチック製ボール等含む）と洗濯物の中心部に接触ボールが入る事により、洗濯物が丸まって団子状態になる事を接触ボールが解放し、且つ、洗濯物の型崩れから護る、洗濯物の中には型崩れを嫌う物もあり、アミ製袋ネット（プラスチック製ボール等含む）及び、接触ボールで洗濯物は型崩れせず綺麗に汚れを落とす事に役立つ。
【考案を実施するための最良の形態】
【０００６】  材質は、多少の高温度でも変化しない材質を使用する、形状としては、アミ製袋ネット（プラスチック製ボール等含む）は多角形でも良いが球状が良い、又、中に入れる接触ボールも多角形でも良いが球状が良い、そして接触ボールには、そのままでも優しいもみ洗い効果が出るが、接触ボールに沢山の突起物を設けると洗濯効果が上がる、突起物先端が点で洗濯物と押し合うようにする、そして突起物と突起物の隙間に洗剤水流が入り込む事により、内側、外側から優しいもみ洗い効果が出、従って汚れが綺麗に落ちる。
【実施例】
【０００７】  以下、添付図面に従って一実施例を説明する。１は洗濯物を入れるアミ製袋ネット（プラスチック製ボール等含む）、２は中に入る接触ボール、３はアミ製袋ネット（プラスチック製ボール等含む）の中に接触ボールを入れた実施例である。【０００８】  接触ボールに洗濯物で包む様にしてアミ製袋ネット（プラスチック製ボール等含む）の中に入れ、蓋（ジッパー等）をして洗濯機で洗う、接触ボールは洗濯物の型崩れから守り、且つ、内側からも洗剤水を導き入れ汚れを型崩れなく綺麗に洗える。【０００９】  本考案の一実施例は上述の如き構成からなるものであるから、簡単に洗濯物の汚れを型崩れなく綺麗に洗える。
【図面の簡単な説明】
【００１０】
【図１】アミ製袋ネット（プラスチック製ボール等含む）の鳥瞰図である。
【図２】接触ボールの鳥瞰図である。
【図３】本考案の洗濯保護装置の実施例の鳥瞰図である。
【符号の説明】
【００１１】１    上部アミ製袋ネット（プラスチック製ボール等含む）
２    下部アミ製袋ネット（プラスチック製ボール等含む）
３    蓋ジッパー
４    洗濯水取り込み穴
５    接触ボール
６    突起物
【図１】
0003148221.tif 000003
【図２】
0003148221.tif 000004
【図３】
0003148221.tif 000005
【手続補正書】
【提出日】平成20年8月25日(2008.8.25)
【手続補正１】
【補正対象書類名】明細書
【補正対象項目名】全文
【補正方法】変更
【補正の内容】
【考案の詳細な説明】
【実用新案登録請求の範囲】
【請求項１】
洗濯物を保護する為、多角形か球形状の網状ナイロン製、本体ネット袋の中に入れた、洗濯物の中心部に、多角形か球形状の接触ボールを配置する事で、本体ネット袋の中の接触ボールが、洗濯物の内側から、洗濯物に軽い衝撃を与え、洗濯物を内側、外側から手もみ洗い効果が出せ、又、接触ボールの程よい堅さが、洗濯物の型崩れを守り、洗濯物を綺麗に洗う事が出来る事を特徴とする洗濯物保護装置。
【考案の詳細の説明】
【０００１】  本考案は、洗濯機等で洗濯する時に洗濯物の型崩れ防止、且つ、手もみ洗い効果を持ち、汚れ落ち効果が多大な洗濯物保護装置に関するものである。
【０００２】  従来、この類の洗濯物保護装置は、本体である多角形か球形状の網状ナイロン製、本体ネット袋だけの保護装置で、本体ネット袋の中で洗濯物が固まり、因って、洗濯物に洗濯水が絡みにくく、洗濯機の水流だけで洗うだけでは汚れが落ちにくいものであった。
【０００３】  しかし、従来のこのような洗濯物保護装置は、多角形か球形状の網状ナイロン製、本体ネット袋だけの場合は洗濯機ドラムの回転水流だけで洗う状態であり、本体ネット袋の中で洗濯物が団子状態で固まってしまうため、洗濯物の汚れは落ちにくいという前述の欠点を解決しようとするものである。
【０００４】  本考案は、洗濯物保護装置の本体ネット袋と、突起物を設けた接触ボールを、セットして洗う事により、本体ネット袋が洗濯ドラムに接触したり、水流回転時に中の接触ボールが、洗濯物を本体ネット袋との間で程よい力で洗濯物に接圧し、洗濯物を外側、内側から優しく、もみ洗いしている効果を作り出す、結果、洗濯物が団子状態から解放された状況を作り出し汚れが綺麗に落ちる、従って、汚れの落ちにくいという問題点を解決している。
【０００５】  上述の様に、本考案の洗濯物保護装置は、本体ネット袋と、本体ネット袋の中に入れられた洗濯物の中心部に接触ボールが入る事により、洗濯物が丸まって団子状態になる事を接触ボールが解放し、且つ、洗濯物を型崩れから護る、洗濯物の中には型崩れを嫌う物もあり、本体ネット袋と程よい堅さを持つ接触ボールで洗濯物は型崩れせず綺麗に汚れを落とす事に役立つ。
【０００６】  材質は、多少の高温度でも変化しない材質を使用する、形状としては、本体ネット袋は、多角形でも良いが球状が良い、又、本体ネット袋には、洗濯物の出し入れするためのジッパーを装着する、本体ネット袋の網目が細かく洗濯水が中に入りにくい場合は洗濯水を容易に導入するように穴を開けておくと良い、但し、本体ネット袋の網目が大きく洗濯水が容易に入る場合は穴は必要としない、中に入れる接触ボールも多角形でも良いが球状が良い、大きさは径０，０８ｍ前後が良い、そして接触ボールは、表面が平らでも優しいもみ洗い効果が有るが、接触ボール表面に多くの突起物を設けると洗濯効果が上がる、設けた突起物先端が多点で洗濯物と接圧するようにする、そして突起物と突起物の隙間に洗剤水流が入り込む事により、内側、外側から優しいもみ洗い効果が出る、従って汚れが綺麗に落ちる。
【０００７】  以下、添付図面に従って一実施例を説明する。１は洗濯物を入れる本体ネット袋、２は中に入る接触ボール、３は本体ネット袋の中に接触ボールを入れた実施例である。
【０００８】  接触ボールに洗濯物を包む様にして本体ネット袋の中に入れ、ジッパーを閉め洗濯機で洗う、接触ボールは洗濯物の型崩れから守り、且つ、内側からも洗剤水を導き入れ汚れを型崩れなく綺麗に洗える。
【０００９】  本考案の一実施例は上述の如き構成からなるものであるから、汚れ落ち効果が多大で、簡単に洗濯物の汚れを型崩れなく綺麗に洗える。
【図面の簡単な説明】
【図１】本体ネット袋の鳥瞰図である。
【図２】接触ボールの鳥瞰図である。
【図３】本考案の洗濯保護装置の実施例の鳥瞰図である。
【符号の説明】
１    上部本体ネット袋
２    下部本体ネット袋
３    ジッパー
４    洗濯水取り込み穴
５    接触ボール
６    突起物
【手続補正書】
【提出日】平成20年10月30日(2008.10.30)
【手続補正１】
【補正対象書類名】実用新案登録請求の範囲
【補正対象項目名】全文
【補正方法】変更
【補正の内容】
【実用新案登録請求の範囲】
【請求項１】
洗濯物を保護する為、多角形か球形状の網状ナイロン製、本体ネット袋の中に入れた、洗濯物の中心部に、多角形か球形状の接触ボールを配置する事で、本体ネット袋の中の接触ボールが、洗濯物の内側から、洗濯物に軽い衝撃を与え、洗濯物を内側、外側から手もみ洗い効果が出せ、又、接触ボールの程よい堅さが、洗濯物の型崩れを守り、洗濯物を綺麗に洗う事が出来る事を特徴とする洗濯物保護装置。
【手続補正２】
【補正対象書類名】手続補正書
【補正対象項目名】手続補正１
【補正方法】変更
【補正の内容】
【手続補正１】
【補正対象書類名】明細書
【補正対象項目名】全文
【補正方法】変更
【補正の内容】
【考案の詳細な説明】
【考案の詳細な説明】
【技術分野】
【０００１】  本考案は、洗濯機等で洗濯する時に洗濯物の型崩れ防止、且つ、手もみ洗い効果を持ち、汚れ落ち効果が多大な洗濯物保護装置に関するものである。
【背景技術】
【０００２】  従来、この類の洗濯物保護装置は、本体である多角形か球形状の網状ナイロン製、本体ネット袋だけの保護装置で、本体ネット袋の中で洗濯物が固まり、因って、洗濯物に洗濯水が絡みにくく、洗濯機の水流だけで洗うだけでは汚れが落ちにくいものであった。
【考案の開示】
【考案が解決しようとする課題】
【０００３】  しかし、従来のこのような洗濯物保護装置は、多角形か球形状の網状ナイロン製、本体ネット袋だけの場合は洗濯機ドラムの回転水流だけで洗う状態であり、本体ネット袋の中で洗濯物が団子状態で固まってしまうため、洗濯物の汚れは落ちにくいという前述の欠点を解決しようとするものである。
【課題を解決するための手段】
【０００４】  本考案は、洗濯物を保護する為、多角形か球形状の網状ナイロン製の本体ネット袋と、本体ネット袋の中に入れた洗濯物の中心部に多角形か球形状の接触ボールを配置する事で、本体ネット袋の中の接触ボールが、洗濯物の内側から、洗濯物に軽い衝撃を与え、洗濯物を内側、外側から手もみ洗い効果が出せ、又、接触ボールの程よい堅さが、洗濯物の型崩れを守り、洗濯物を綺麗に洗う事が出来る事を特徴とする選択物保護装置。
【考案の効果】
【０００５】  上述の様に、本考案の洗濯物保護装置は、本体ネット袋と、本体ネット袋の中に入れられた洗濯物の中心部に接触ボールが入る事により、洗濯物が丸まって団子状態になる事を接触ボールが解放し、且つ、洗濯物を型崩れから護る、洗濯物の中には型崩れを嫌う物もあり、本体ネット袋と程よい堅さを持つ接触ボールで洗濯物は型崩れせず綺麗に汚れを落とす事に役立つ。
【考案を実施するための最良の形態】
【０００６】  材質は、多少の高温度でも変化しない材質を使用する、形状としては、本体ネット袋は、多角形でも良いが球状が良い、又、本体ネット袋には、洗濯物の出し入れするためのジッパーを装着する、本体ネット袋の網目が細かく洗濯水が中に入りにくい場合は洗濯水を容易に導入するように穴を開けておくと良い、但し、本体ネット袋の網目が大きく洗濯水が容易に入る場合は穴は必要としない、中に入れる接触ボールも多角形でも良いが球状が良い、大きさは径０，０８ｍ前後が良い、そして接触ボールは、表面が平らでも優しいもみ洗い効果が有るが、接触ボール表面に多くの突起物を設けると洗濯効果が上がる、設けた突起物先端が多点で洗濯物と接圧するようにする、そして突起物と突起物の隙間に洗剤水流が入り込む事により、内側、外側から優しいもみ洗い効果が出る、従って汚れが綺麗に落ちる。
【実施例】
【０００７】  以下、添付図面に従って一実施例を説明する。１は洗濯物を入れる本体ネット袋、２は中に入る接触ボール、３は本体ネット袋の中に接触ボール５を入れた実施例である。【０００８】  接触ボール５に洗濯物を包む様にして本体ネット袋１、２の中に入れ、ジッパー３を閉め洗濯機で洗う、接触ボール５は洗濯物の型崩れから守り、且つ、内側からも洗剤水を導き入れ汚れを型崩れなく綺麗に洗える。【０００９】  本考案の一実施例は上述の如き構成からなるものであるから、汚れ落ち効果が多大で、簡単に洗濯物の汚れを型崩れなく綺麗に洗える。
【図面の簡単な説明】
【００１０】
【図１】本体ネット袋の鳥瞰図である。
【図２】接触ボールの鳥瞰図である。
【図３】本考案の洗濯保護装置の本体ネット袋を１部分透視した実施例の鳥瞰図である。
【符号の説明】
【００１１】１    上部本体ネット袋
２    下部本体ネット袋
３    ジッパー
４    洗濯水取り込み穴
５    接触ボール
６    突起物